(57)【要約】【課題】小型電気機器としての利便性の更なる向上を図ることのできる表示システム、及び該小型電気機器への非接触給電に対応する非接触給電システム用表示システムを提供する。【解決手段】表示システムは、脱毛器から転送される画像データを可視可能に表示する送電装置２０を備える。脱毛器は、当該脱毛器が作用する部位を撮像する第１の撮像ユニットと、画像データを無線通信にて送信する第１の通信ユニットとを備える。送電装置２０は、脱毛器から画像データを受信する第２の通信ユニットを備える。表示システムは、脱毛器が作用する部位とその周辺を、脱毛器を含めてリアルタイムに撮像する第２の撮像ユニット４０を備え、第１の撮像ユニットからリアルタイムに送られてくる画像データと、第２の撮像ユニット４０がリアルタイムに撮像する画像データとを併せて送電装置２０のディスプレイ２４１にリアルタイムに可視可能に表示する。【選択図】図２
2014050128.tif 000002
【特許請求の範囲】
【請求項１】
小型電気機器から転送される画像情報を可視可能に表示する表示装置を備える表示システムであって、
前記小型電気機器は、当該小型電気機器が作用する部位を撮像する第１の撮像装置と、前記撮像される画像情報を無線通信にて送信する第１の通信装置とを備え、
前記表示装置は、前記小型電気機器から無線通信にて送信される画像情報を受信する第２の通信装置を備え、
当該表示システムは、前記小型電気機器が作用する部位とその周辺を、前記小型電気機器を含めてリアルタイムに撮像する第２の撮像装置を備えて、前記第１の撮像装置からリアルタイムに送られてくる画像情報と、前記第２の撮像装置がリアルタイムに撮像する画像情報とを併せて前記表示装置にリアルタイムに可視可能に表示する
ことを特徴とする表示システム。
【請求項２】
非接触給電対象である小型電気機器から転送される画像情報を可視可能に表示する表示装置を備える非接触給電システム用表示システムであって、
前記小型電気機器は、前記非接触給電システムの送電装置から送電される電力を非接触で受電する受電装置と、自らの認証情報を保持する認証情報保持部と、当該小型電気機器が作用する部位を撮像する第１の撮像装置と、前記保持されている認証情報及び前記撮像される画像情報を無線通信にて送信する第１の通信装置とを備え、
前記非接触給電システムの送電装置は、前記小型電気機器から無線通信にて送信される認証情報及び画像情報を受信する第２の通信装置と、前記受信される小型電気機器の認証情報を認証する認証装置と、前記小型電気機器が作用する部位とその周辺を、前記小型電気機器を含めてリアルタイムに撮像する第２の撮像装置と、前記表示装置とを備え、前記受信される認証情報が前記認証装置によって認証された小型電気機器であることを条件に送電を行い、前記第１の撮像装置からリアルタイムに送られてくる画像情報と前記第２の撮像装置がリアルタイムに撮像した画像情報とを併せて前記表示装置にリアルタイムに可視可能に表示する
ことを特徴とする非接触給電システム用表示システム。
【請求項３】
前記表示装置は、画像表示部と、該画像表示部に表示された画像を透過可能な鏡面とを有する
請求項２に記載の非接触給電システム用表示システム。
【請求項４】
前記第２の撮像装置は、前記表示装置に設けられている
請求項２又は３に記載の非接触給電システム用表示システム。
【請求項５】
前記小型電気機器は、該小型電気機器の作用状態を検出する検出器を備え、該検出器が検出した作用状態を前記第１の通信装置から送信し、
前記送電装置は、前記送信された作用状態を前記第２の通信装置で受信し、当該受信した作用状態を外部に通知する
請求項２〜４のいずれか一項に記載の非接触給電システム用表示システム。
【請求項６】
前記送電装置は、前記小型電気機器の作用状態に対応する該小型電気機器の推奨動作を保持しており、前記保持している推奨動作の中から選択された作用状態に対応する推奨動作を外部に通知する
請求項５に記載の非接触給電システム用表示システム。
【請求項７】
前記小型電気機器の胴体は、画像認識可能な目印を備え、
前記送電装置は、前記小型電気機器の作用する部位に対応する該小型電気機器の推奨動作を保持しており、前記第２の撮像装置によりリアルタイムに撮像された画像情報から前記小型電気機器の目印を画像認識により認識して当該小型電気機器が作用している部位を特定し、前記保持している推奨動作の中から選択された当該特定した部位に対応する推奨動作を外部に通知する
請求項２〜４のいずれか一項に記載の非接触給電システム用表示システム。
【請求項８】
前記送電装置は、前記推奨動作を画像として外部に通知する
請求項６又は７に記載の非接触給電システム用表示システム。
【発明の詳細な説明】
【技術分野】
【０００１】
本発明は、小型電気機器が撮像した画像を表示する表示システム、及び該小型電気機器への非接触給電に対応する非接触給電システム用表示システムに関する。
【背景技術】
【０００２】
従来、上記小型電気機器としては、電気かみそりや電動歯ブラシ、さらには各種美容器具など、主に自身の身体の手入れのためにユーザが片手に持って操作する電気機器が知られている。そして通常、小型電気機器は、ユーザがその使用状態、すなわち手入れ状態を確認しながら使用することが多い。しかし、小型電気機器の中には、その使用状態をユーザが確認しにくいものもあるため、そうした小型電気機器あるいはその使用部分については、ユーザが鏡を介して視認することもよく行なわれている。ところが、鏡を使ったとしても、ユーザが十分に視認することができない部分もある。そこで、小型電気機器の使用範囲に対するユーザの視認性を向上させることのできる小型電気機器の一例が特許文献１に記載されている。
【０００３】
特許文献１に記載の小型電気機器はレーザ美容処理器である。このレーザ美容処理器には、外部電源が接続される電源ユニットと、被処理部位にレーザを照射するレーザ光源及び光学系と、被処理部位を撮像する撮像素子と、撮像により得られた画像データを送信する通信ユニットとが設けられている。また、このレーザ美容処理器には、液晶モニタを有するデジタル画像機器が通信可能に接続されている。そして、レーザ美容処理器は、撮像した被処理部位の画像データをデジタル画像機器に送信し、デジタル画像機器では、この送信された画像データを液晶モニタに表示する。これにより、ユーザは、レーザ美容処理器によりレーザが照射される被処理部位を液晶モニタを介して視認することができる。
【先行技術文献】
【特許文献】
【０００４】
【特許文献１】特開２００３−１８０７０８号公報
【発明の概要】
【発明が解決しようとする課題】
【０００５】
例えば、美容処理器により処理が施される被処理部位は、その被処理部位周囲との間に違和感が生じないように処理されることが好ましい。そのため、ユーザは、被処理部位とその被処理部位の周囲とを併せて視認しつつ美容処理器を利用することも多い。しかし、特許文献１に記載の小型電気機器（レーザ美容処理器）は、被処理部位の視認性を向上させることはできるものの、被処理部位の周囲となるとその視認性を向上させることはできない。
【０００６】
本発明は、このような実情に鑑みてなされたものであって、その目的は、小型電気機器としての利便性の更なる向上を図ることのできる表示システム、及び該小型電気機器への非接触給電に対応する非接触給電システム用表示システムを提供することにある。
【課題を解決するための手段】
【０００７】
・本発明の表示システムは、小型電気機器から転送される画像情報を可視可能に表示する表示装置を備える表示システムであって、前記小型電気機器は、当該小型電気機器が作用する部位を撮像する第１の撮像装置と、前記撮像される画像情報を無線通信にて送信する第１の通信装置とを備え、前記表示装置は、前記小型電気機器から無線通信にて送信される画像情報を受信する第２の通信装置を備え、当該表示システムは、前記小型電気機器が作用する部位とその周辺を、前記小型電気機器を含めてリアルタイムに撮像する第２の撮像装置を備えて、前記第１の撮像装置からリアルタイムに送られてくる画像情報と、前記第２の撮像装置がリアルタイムに撮像する画像情報とを併せて前記表示装置にリアルタイムに可視可能に表示することを特徴としている。
【０００８】
・本発明の非接触給電システム用表示システムは、非接触給電対象である小型電気機器から転送される画像情報を可視可能に表示する表示装置を備える非接触給電システム用表示システムであって、前記小型電気機器は、前記非接触給電システムの送電装置から送電される電力を非接触で受電する受電装置と、自らの認証情報を保持する認証情報保持部と、当該小型電気機器が作用する部位を撮像する第１の撮像装置と、前記保持されている認証情報及び前記撮像される画像情報を無線通信にて送信する第１の通信装置とを備え、前記非接触給電システムの送電装置は、前記小型電気機器から無線通信にて送信される認証情報及び画像情報を受信する第２の通信装置と、前記受信される小型電気機器の認証情報を認証する認証装置と、前記小型電気機器が作用する部位とその周辺を、前記小型電気機器を含めてリアルタイムに撮像する第２の撮像装置と、前記表示装置とを備え、前記受信される認証情報が前記認証装置によって認証された小型電気機器であることを条件に送電を行い、前記第１の撮像装置からリアルタイムに送られてくる画像情報と前記第２の撮像装置がリアルタイムに撮像した画像情報とを併せて前記表示装置にリアルタイムに可視可能に表示することを特徴としている。
【０００９】
・この非接触給電システム用表示システムにおいては、前記表示装置は、画像表示部と、該画像表示部に表示された画像を透過可能な鏡面とを有することが好ましい。
・この非接触給電システム用表示システムにおいては、前記第２の撮像装置は、前記表示装置に設けられていることが好ましい。
【００１０】
・この非接触給電システム用表示システムにおいては、前記小型電気機器は、該小型電気機器の作用状態を検出する検出器を備え、該検出器が検出した作用状態を前記第１の通信装置から送信し、前記送電装置は、前記送信された作用状態を前記第２の通信装置で受信し、当該受信した作用状態を外部に通知することが好ましい。
【００１１】
・この非接触給電システム用表示システムにおいては、前記送電装置は、前記小型電気機器の作用状態に対応する該小型電気機器の推奨動作を保持しており、前記保持している推奨動作の中から選択された作用状態に対応する推奨動作を外部に通知することが好ましい。
【００１２】
・この非接触給電システム用表示システムにおいては、前記小型電気機器の胴体は、画像認識可能な目印を備え、前記送電装置は、前記小型電気機器の作用する部位に対応する該小型電気機器の推奨動作を保持しており、前記第２の撮像装置によりリアルタイムに撮像された画像情報から前記小型電気機器の目印を画像認識により認識して当該小型電気機器が作用している部位を特定し、前記保持している推奨動作の中から選択された当該特定した部位に対応する推奨動作を外部に通知することが好ましい。
【００１３】
・この非接触給電システム用表示システムにおいては、前記送電装置は、前記推奨動作を画像として外部に通知することが好ましい。
【発明の効果】
【００１４】
本発明は、小型電気機器としての利便性の更なる向上を図ることのできる表示システム、及び該小型電気機器への非接触給電に対応する非接触給電システム用表示システムを提供することができる。
【図面の簡単な説明】
【００１５】
【図１】本発明の非接触給電用表示システムを具体化した第１の実施形態に用いられる小型電気機器を模式的に示す図であって、（ａ）は正面側の模式図、（ｂ）は裏面側の模式図。
【図２】同実施形態において、表示装置を有する送電装置を模式的に示す模式図。
【図３】同実施形態において、表示装置に表示される画像の一例を模式的に示す模式図。
【図４】同実施形態において、小型電気機器の概略構成を示すブロック図。
【図５】同実施形態において、送電装置の概略構成を示すブロック図。
【図６】同実施形態において、表示システムの作動順序を示すシーケンス図。
【図７】同実施形態において、表示システムの作動順序を示すシーケンス図。
【図８】本発明の非接触給電用表示システムを具体化した第２の実施形態に用いられる小型電気機器に設けられた目印を模式的に示す模式図であって、（ａ）は目印の一例を示す模式図、（ｂ）は目印の他の例を示す模式図。
【図９】同実施形態において、小型電気機器の概略構成を示すブロック図。
【図１０】同実施形態において、送電装置の概略構成を示すブロック図。
【発明を実施するための形態】
【００１６】
（第１の実施形態）
以下、本発明にかかる表示システムの第１の実施形態について、図１〜６を参照して説明する。まず、本実施形態における表示システムの概略を、図１及び図２を参照して説明する。
【００１７】
表示システムは、非接触給電システムを備える非接触給電システム用表示システムであって、小型電気機器（受電装置）１０と、表示装置としての送電装置２０とを備えている。
【００１８】
図１に示すように、小型電気機器（受電装置）１０は、脚や、腋や、腕等の身体の体毛の剃毛に用いられる脱毛器１０である。この脱毛器１０は、送電装置２０から電磁誘導により伝送された電力を受電コイル１１１にて受電する。そして、脱毛器１０は、受電コイル１１１で受電した電力を、「かみそり」からなる作用部１２１や小型カメラを構成する撮像素子１３１などを作動させる電力として利用する。詳述すると、脱毛器１０は、電源スイッチ１４と、撮像素子１３１と、無線通信用の通信アンテナ３１３と、非接触で電力を受電するための受電コイル１１１とを備えている。脱毛器１０は、電源スイッチ１４が操作されることによって、作用部１２１や撮像素子１３１などが作動する。そして、撮像素子１３１は、ユーザの肌における狭い範囲からなる部位であって作用部１２１が当たって処理される被処理部位の画像である狭域画像２４４を撮像する。そして、脱毛器１０は、撮像素子１３１が撮像した画像に対応する画像データ（画像情報）を含む通信用信号を、通信アンテナ３１３を介して送信する。
【００１９】
図２に示すように、浴室２は、送電装置２０を備えている。浴室２は、送電装置２０を構成する機器が分散配置されている。浴室２は、ユーザの上半身に向かい合う位置に、鏡と液晶ディスプレイ（ＬＣＤ）の機能を併せ持つミラーＬＣＤからなる画像表示部としてのディスプレイ２４１を備える。また浴室２は、ディスプレイ２４１の下方に人間を検出する人感センサ２３と、ディスプレイ２４１の横に第２の撮像装置としての第２の撮像ユニット４０とを備えている。また浴室２は、非接触で電力を送電するための送電コイル２１１と、浴室２のカウンタ内に電源回路２２と第２の制御回路２５と第２の無線通信ユニット３２などのユニットとを備えている。第２の撮像ユニット４０は、ユーザの身体（肌）の被処理部位とその周辺及び脱毛器１０を含む範囲の画像である広域画像２４３を撮像する。送電装置２０は、送電コイル２１１から電磁誘導による非接触給電を行う。これにより送電装置２０は、脱毛器１０にその作動に必要な電力を供給する。
【００２０】
図３に示すように、送電装置２０は、脱毛器１０が送信した画像データを含む通信用信号を受信し、脱毛器１０が撮像した狭域画像２４４をディスプレイ２４１に可視可能に表示する。併せて、送電装置２０は、第２の撮像ユニット４０が撮像した広域画像２４３をディスプレイ２４１に可視可能に表示する。これにより、ディスプレイ２４１には、広域画像２４３と狭域画像２４４とが、ユーザが同時に目視可能な態様に所定の表示レイアウトで表示される。また、ディスプレイ２４１への表示は画像を拡大することが容易であるため、視力の低い人や高齢の人が見やすい大きさの画像を提供することができる。
【００２１】
送電装置２０と脱毛器１０とは、送電装置２０から脱毛器１０への非接触給電が可能な距離に配置される。これにより、脱毛器１０を利用しながら送電装置２０を操作して画像表示を調整することなども可能になる。
【００２２】
次に、脱毛器１０及び送電装置２０の詳細について、図４及び図５を参照して説明する。
図４に示すように、脱毛器１０は、非接触給電における受電装置としての受電ユニット１１と、作用部１２１を駆動する負荷としての動作ユニット１２とから構成される。また、脱毛器１０は、外部を撮像する第１の撮像装置としての第１の撮像ユニット１３と、送電装置２０と無線通信する第１の通信装置としての第１の無線通信ユニット３１とから構成される。さらに、脱毛器１０は、ユーザによって操作される電源スイッチ１４と、各ユニット１１〜１３、３１に電気的に接続される第１の制御回路１５とから構成されている。
【００２３】
第１の制御回路１５は、脱毛器１０の各種動作を制御する。第１の制御回路１５は、演算装置と、揮発性メモリと、不揮発性メモリなどを備えるマイクロコンピュータを有し構成されている。不揮発性メモリには、第１の制御回路１５にて実行されるプログラムや、各種判定処理動作を行う際に使用される各種のデータが記憶されている。また、不揮発性メモリには、脱毛器１０の識別情報や認証情報などが記憶されていてもよい。第１の制御回路１５は、接続される各ユニット１１〜１３，３１の状態などを取得する。また第１の制御回路１５は、各ユニット１１〜１３，３１に必要な指示を与える。第１の制御回路１５は、取得した各ユニット１１〜１３，３１の状態に応じて所定の判断を行い、各ユニット１１〜１３，３１に必要な処理を指示することができる。例えば、第１の制御回路１５は、各ユニット１１〜１３，３１への電源投入や電源遮断の制御、いわゆるオン／オフの制御を行うことができる。また、例えば、第１の制御回路１５は、受電ユニット１１による受電処理に必要な各種処理を各ユニットに指示することができる。
【００２４】
受電ユニット１１は、非接触で伝送された電力を受電して脱毛器１０内の各ユニット１２，１３，３１等に供給する。受電ユニット１１は、その動作が第１の制御回路１５により制御されている。
【００２５】
受電ユニット１１は、非接触で電力を受電する受電コイル１１１と、受電コイル１１１に電気的に接続される整流回路１１２とから構成されている。また受電ユニット１１は、送電装置２０から脱毛器１０への給電を認証する認証回路１１３と、脱毛器１０内へ供給する電力を調整する電力制御回路１１４とから構成されている。
【００２６】
受電コイル１１１は、送電装置２０から伝送される磁束に鎖交し、磁束に応じた交流電流を発生させて、その発生させた交流電流を整流回路１１２へ出力する。受電コイル１１１は、平面コイルとして形成されている。受電コイル１１１は、平面上において内側から外側に徐々に拡がるように配置された複数の円形部分からなりそれら円形部分が脱毛器１０の長手方向に延びる平面に平行に配置された構造を有する。受電コイル１１１の径は、送電コイル２１１の径よりも小さい。受電コイル１１１はコイル内にコアを有していてもよい。
【００２７】
整流回路１１２は、受電コイル１１１から入力された交流電流を直流電流に整流して動作ユニット（負荷）１２等に出力する。整流回路１１２は、４つのダイオードを組み合わせて形成された整流ブリッジと、整流ブリッジを通過した電流を平滑化するコンデンサとを有する。
【００２８】
認証回路１１３は、送電装置２０が受電ユニット１１に適合する給電装置であり、かつ送電装置２０が送電可能な状態であることを検知すると、脱毛器１０から送電装置２０へ電力要求信号を送信させる。これにより、認証回路１１３によって認証されていない送電装置２０が脱毛器１０に不用意に電力を供給することが防止される。例えば、認証回路１１３は、第１の無線通信ユニット３１から送電装置２０が送信した待機状態信号を受ける。認証回路１１３は、受けた待機状態信号から当該脱毛器１０が送電装置２０に適合すること、かつ送電装置２０は給電準備ができていることを検知すると、第１の無線通信ユニット３１から送電装置２０に電力要求信号を送信する。これにより、送電装置２０からの給電が開始され、受電した受電ユニット１１から脱毛器１０内に電力が供給される。その一方、認証回路１１３が、送電装置２０が受電ユニット１１に適合すること、又は送電装置２０が送電可能な状態であることを検知できないとき、第１の無線通信ユニット３１から送電装置２０に電力要求信号を送信させない。このため、送電装置２０からの給電が開始されず、受電ユニット１１は脱毛器１０内へ電力を供給することができない。
【００２９】
電力制御回路１１４は、整流回路１１２から脱毛器１０内へ供給する電力量等を制御する。例えば、電力制御回路１１４は、受電コイル１１１の感度調整等によって、受電コイル１１１から整流回路１１２へ供給される交流電力の大きさ等を調整する。これにより、電力制御回路１１４は、整流回路１１２から出力される直流電力の電力量等を調整する。
【００３０】
すなわち、受電ユニット１１は、受電コイル１１１で生じた電力を整流回路１１２によって整流して、直流に変え、動作ユニット１２等に供給する。なお、認証回路１１３による認証結果の検出と、電力制御回路１１４による供給電力の制御は、第１の制御回路１５からの指示によって行われる。
【００３１】
動作ユニット１２は、電気モータを備え、その電気モータを受電ユニット１１から供給される電力によって駆動させて、身体の手入れを実行する「かみそり」（作用部１２１）を作動させる。なお、動作ユニット１２は、第１の制御回路１５の指示に応じて電気モータを駆動させる。つまり第１の制御回路１５は、電源スイッチ１４の状態に応じて電気モータを駆動させるか否かを動作ユニット１２に指示する。
【００３２】
第１の撮像ユニット１３は、受電ユニット１１から電力が供給される。第１の撮像ユニット１３は、撮像した画像を第１の無線通信ユニット３１へ出力する。第１の撮像ユニット１３は、撮像レンズを備える撮像素子１３１と、撮像素子１３１が撮像したデータをデジタルに変換するＡ／Ｄ変換器１３２と、デジタル変換されたデータから所定の画像データを生成する画像処理回路１３３とから構成されている。
【００３３】
撮像素子１３１は、作用部１２１の方向に撮像方向を向けるように脱毛器１０の胴体に設置されている。そのため、撮像素子１３１は、体表面（肌）のうち作用部１２１の作用する部位と、その体表面（肌）の部位を含む周辺を撮影することができる。撮像素子１３１は、ＣＣＤのイメージセンサにより構成される。撮像素子１３１は、受電ユニット１１から供給された電力で作動する。撮像素子１３１は、撮像レンズ等を介して外部から入力された画像を受像し、受像した画像に対応するアナログデータをＡ／Ｄ変換器１３２へ出力する。なお、脱毛器１０の胴体や撮像素子１３１には撮影画質向上のため、撮像部分を照らす光源があってもよい。
【００３４】
Ａ／Ｄ変換器１３２は、撮像素子１３１から入力したアナログデータをデジタルデータに変換する。そして、Ａ／Ｄ変換器１３２は、変換したデジタルデータを画像処理回路１３３へ出力する。
【００３５】
画像処理回路１３３は、Ａ／Ｄ変換器１３２から入力されたデジタルデータを実時間で画像処理して画像データを生成し、この生成した画像データを第１の無線通信ユニット３１へ出力する。画像処理回路１３３は、画像処理として、色補正や、デモザイク処理や、階調補正（γ補正）や、ＹＣ分離処理などを行ってもよい。
【００３６】
第１の無線通信ユニット３１は、画像データを符号化する画像符号器３１１と、通信用信号を変復調する通信回路３１２と、無線通信用の通信アンテナ３１３とから構成されている。なお、無線通信には、公知の方法が適用される。つまり、無線通信には、例えば、ＺｉｇＢｅｅ（「ＺＩＧＢＥＥ」は登録商標）や、Ｂｌｕｅｔｏｏｔｈ（登録商標）や、Ｗｉ−Ｆｉや、特定小電力無線や、赤外線通信や、Ｚ−Ｗａｖｅ等の無線通信を利用することができる。
【００３７】
画像符号器３１１は、第１の撮像ユニット１３から入力された画像データを無線通信に適した通信用信号に変換して、通信回路３１２に出力する。画像符号器３１１における画像データの変換は、例えば、圧縮や、暗号化などが挙げられる。
【００３８】
通信回路３１２は、送電装置２０との間で、通信用信号を無線通信によって授受することが可能になっている。通信回路３１２は、送電装置２０に対し、画像データなどが含まれる通信用信号を送信する。また通信回路３１２は、送電装置２０に対し、脱毛器１０の識別情報や、送電装置２０に給電を認証させるための認証情報や、電力要求信号や、受電状況を示す情報を含む各通信用信号を送信することもできる。脱毛器１０自らの識別情報や認証情報は、認証情報保持部としての第１の無線通信ユニット３１の不揮発性のメモリに記憶しておいてもよいし、第１の制御回路１５から入力されてもよい。
【００３９】
また、通信回路３１２は、送電装置２０から、電力給電可能であることを示す待機状態信号や、給電対象としての認証された結果に基づいて給電していることを示す給電信号などの各通信用信号を受信することができる。
【００４０】
通信アンテナ３１３は、送電装置２０と脱毛器１０との間で近距離通信が可能なアンテナである。脱毛器１０は、使用の際、送電装置２０に対する相対的な位置関係が特定できないため、通信アンテナ３１３は、広い指向性を有している。
【００４１】
電源スイッチ１４は、脱毛器１０を作動させるためにユーザにより操作される。電源スイッチ１４は、ユーザによって物理的もしくは電気的に操作される。そして、電源スイッチ１４による操作が電気的または機械的に、第１の制御回路１５や、動作ユニット１２や、第１の撮像ユニット１３や、第１の無線通信ユニット３１に伝達される。
【００４２】
なお、電源スイッチ１４が操作されても、送電装置２０から給電されていないため、脱毛器１０は作動できない。そのため、第１の制御回路１５は、電源スイッチ１４が操作されると、脱毛器１０の認証情報を含む電力要求信号を送電装置２０に送信する。なお、電力要求信号を送信するため、第１の無線通信ユニット３１には、図示しないコンデンサに蓄電しておいた電力や、図示しない一次電池や二次電池から電力が供給される。
【００４３】
図５に示すように、送電装置２０は、電力伝送用の送電ユニット２１と、送電装置２０内に電力を供給する電源回路２２と、電源の入／切用の人感センサ２３とから構成される。また、送電装置２０は、ディスプレイの機能を有する表示ユニット２４と、無線通信用の第２の通信装置としての第２の無線通信ユニット３２とから構成される。さらに、送電装置２０は、広域画像２４３を撮像する上述の第２の撮像ユニット４０と、各ユニット２１，２４，３２，４０等に電気的に接続される第２の制御回路２５とから構成されている。
【００４４】
第２の撮像ユニット４０は、浴室２において、ユーザを正面から撮像できるようにディスプレイ２４１の横に配置されており、ディスプレイ２４１の前方の画像をリアルタイムで撮像する。そして、第２の撮像ユニット４０は、撮像した画像をリアルタイムで表示ユニット２４へ出力する。なお、第２の撮像ユニット４０の構成は、上述の第１の撮像ユニット１３の構成と同様であることからその詳細な説明は割愛する。
【００４５】
人感センサ２３は、ディスプレイ２４１の前方位置における人間の有無を検出するための検出器であって、赤外線センサなどの公知の検出器が用いられる。人感センサ２３は、ディスプレイ２４１の下方に設けられている。なお、ディスプレイ２４１の前方位置における人間の有無を検出することができるのであれば、人感センサ２３は、ディスプレイ２４１の上方など下方以外の位置に設けられていてもよいし、ディスプレイ２４１から離れた位置に設けられていてもよい。
【００４６】
人感センサ２３は、人間を検出すると検出信号を電源回路２２に入力する。
電源回路２２は、人感センサ２３から検出信号が入力されると、送電装置２０内に電力の供給を開始する。すなわち、送電装置２０は、人感センサ２３が人間を検出することによって電源が入るようになっている。
【００４７】
電源回路２２は、整流回路及びＤＣ／ＤＣコンバータを有している。そして電源回路２２は、人感センサ２３から検出信号が入力されることに応じて、外部の商用電源から交流電力を入力して整流回路にて整流する。そして電源回路２２は、整流した直流電圧をＤＣ／ＤＣコンバータにて所望の電圧に変換した後、その直流電圧を各ユニット２１，２４，３２や第２の制御回路２５等に供給する。
【００４８】
なお電源回路２２は、人感センサ２３を駆動させておくため、人感センサ２３の検出結果にかかわらず、人感センサ２３には電力を常時供給するようにしているとよい。
第２の制御回路２５は、送電装置２０の各種動作を制御する。第２の制御回路２５は、演算装置や、揮発性メモリや不揮発性メモリなどを備えるマイクロコンピュータを有し構成されている。不揮発性メモリには、第２の制御回路２５にて実行されるプログラムや、各種判定処理動作を行う際に使用される各種のデータが記憶されている。
【００４９】
第２の制御回路２５は、接続される各ユニット２１，２４，３２の状態などを取得する。また第２の制御回路２５は、各ユニット２１，２４，３２に必要な処理を指示する。第２の制御回路２５は、取得した各ユニット２１，２４，３２の状態に応じて、各ユニット２１，２４，３２に必要な処理を指示することができる。例えば、第２の制御回路２５は、各ユニット２１，２４，３２のオン／オフの制御を行うことができる。また、例えば、第２の制御回路２５は、送電ユニット２１に対して送電に必要な各種処理を指示することができる。
【００５０】
第２の無線通信ユニット３２は、画像データを復号する画像復号器３２１と、無線通信用の信号を変復調する通信回路３２２と、無線通信用の通信アンテナ３２３とから構成されている。なお、無線通信は、公知の方法が適用できる。つまり、無線通信には、規格等に制限は無く、例えば、ＺｉｇＢｅｅ（「ＺＩＧＢＥＥ」は登録商標）や、Ｂｌｕｅｔｏｏｔｈ（登録商標）や、Ｗｉ−Ｆｉや、特定小電力無線や、赤外線通信や、Ｚ−Ｗａｖｅ等の無線通信を利用することができる。なお、本実施形態では、第１と第２の無線通信ユニット３１、３２は、ＺｉｇＢｅｅ（「ＺＩＧＢＥＥ」は登録商標）の規格で通信するものとする。
【００５１】
画像復号器３２１は、通信回路３２２から入力された画像データに所定の処理を施して表示ユニット２４に出力する。画像復号器３２１は、所定の処理として、例えば、圧縮されたデータを元に戻したり（伸長したり）、暗号化されているデータを復号したりする。つまり、画像復号器３２１は、通信回路３１２から入力された通信用信号を表示ユニット２４で表示可能な画像データに変換する。
【００５２】
通信回路３２２は、脱毛器１０との間で、通信用信号を無線通信によって授受することが可能になっている。通信回路３２２は、脱毛器１０から、識別情報や、認証情報や、電力要求信号や、受電状況を示す情報や、供給停止要求信号や、画像データなどが含まれる各通信用信号を受信する。
【００５３】
また、通信回路３２２は、脱毛器１０へ、電力給電可能であることを示す待機状態信号や、給電していることを示す給電信号などを含む各通信用信号を送信する。
通信アンテナ３２３は、送電装置２０と脱毛器１０との間で近距離通信が可能なアンテナである。送電装置２０は電力を送電する方向が定まっているため、通信アンテナ３２３は、送電装置２０が電力を送電する方向に対する指向性を有している。なお、通信アンテナ３２３は、広い指向性を有していてもよい。
【００５４】
送電ユニット２１は、送電対象である小型電気機器としての脱毛器１０に、非接触で電力を供給する。送電ユニット２１は、その動作が第２の制御回路２５に制御されている。
送電ユニット２１は、電力を送電する前述の送電コイル２１１と、送電コイル２１１に電気的に接続される電力伝送回路２１２とから構成されている。また、送電ユニット２１は、給電対象に対して電力供給を許可／規制する認証装置としての認証回路２１４と、伝送する電力を調整する電力制御回路２１３とから構成されている。
【００５５】
電力伝送回路２１２は、電源回路２２から入力された直流電力を、交流電力に変換して送電コイル２１１に供給する。電力伝送回路２１２は、公知のフルブリッジ回路を備え、当該フルブリッジ回路に入力した直流電力を、送電コイル２１１を励磁させる交流電力に変換する。
【００５６】
送電コイル２１１は、平面視において略四角形を有する平面コイルとして形成されており、ディスプレイ２４１の表面２６の裏側に沿って配置されている（図２参照）。なお、送電コイル２１１は、平面視において略円形を有する平面コイルとして形成されていてもよい。送電コイル２１１は、所定のコイルの巻き数を有し、コイル径は脱毛器１０の受電コイル１１１の径よりも大きい。送電コイル２１１は、電力伝送回路２１２から入力される所定周波数の交流電流に応じた磁束を発生させ、その発生させた磁束を送電コイル２１１に直交する方向に出力する。
【００５７】
認証回路２１４は、小型電気機器が給電対象であるか否かを判断する回路である。認証回路２１４は、第２の無線通信ユニット３２から脱毛器１０の電力要求信号が入力される。認証回路２１４は、電力要求信号に含まれる認証情報に基づいて、脱毛器１０は給電対象であるか否かを判断する。判断は、入力された認証情報を認証回路２１４に設定されている認証情報と比較したり、入力された認証情報に含まれている小型電気機器の仕様が給電対象として適合するか判定したりすることなどにより行う。認証回路２１４は、認証情報に基づいて脱毛器１０を給電対象として認証すると、電力伝送回路２１２の作動を許可する。このため、認証回路２１４が認証情報を認証すると、電力伝送回路２１２が作動し、送電コイル２１１から電力が伝送され、脱毛器１０へ電力が供給される。一方、認証回路２１４が認証情報を認証しないと、電力伝送回路２１２が作動しないため送電コイル２１１から電力が伝送されず、脱毛器１０へ電力が供給されない。
【００５８】
また、認証回路２１４は、脱毛器１０から送信された供給停止信号を第２の無線通信ユニット３２を介して受け取ると、脱毛器１０に対する給電対象としての認証を取り消して電力の供給を停止させる。
【００５９】
さらに、認証回路２１４は、電力供給を停止しているとき、第２の無線通信ユニット３２から待機状態信号を送信させる。
電力制御回路２１３は、電力伝送回路２１２から送電コイル２１１へ供給する電力を制御する。例えば、電力制御回路２１３は、電力伝送回路２１２が出力する交流電力のデューティー比や周波数などを調整することによって、送電コイル２１１を励磁する交流電力の大きさ等を調整する。これにより、電力制御回路２１３は、送電コイル２１１から非接触で供給する電力量などを調整する。
【００６０】
すなわち、送電ユニット２１は、電力伝送回路２１２によって生成された交流電力に基づいて発生させた送電コイル２１１の磁束によって電力を非接触で伝送する。なお、第２の制御回路２５からの指示によって、認証回路２１４による給電対象の認証と、電力制御回路２１３による送電する電力量などの制御が行われる。
【００６１】
表示ユニット２４は、いわゆるミラーＬＣＤからなるディスプレイ２４１と、画像処理回路２４２とから構成されている。表示ユニット２４は、狭域画像２４４に対応する画像データが第２の無線通信ユニット３２から入力され、広域画像２４３に対応する画像データが第２の撮像ユニット４０から入力される。また、表示ユニット２４は、ディスプレイ２４１における広域画像２４３と狭域画像２４４との表示位置を定めた表示レイアウトを複数パターン有している。表示ユニット２４は、複数のパターンから選択された表示レイアウトで広域画像２４３と狭域画像２４４とを表示する。このパターンの選択は、自動に選択しても、手動で選択されてもよい。
【００６２】
画像処理回路２４２は、第２の無線通信ユニット３２から入力される狭域画像２４４に対応する画像データと、第２の撮像ユニット４０から入力される広域画像２４３に対応する画像データとに所定の処理を施してディスプレイ２４１に出力する。画像処理回路２４２は、狭域画像２４４の画像データと、広域画像２４３の画像データとを選択されたパターンに従う表示レイアウトに配置した画像データを出力する。
【００６３】
ディスプレイ２４１は、鏡面状の表面２６を有する液晶ディスプレイであって、画像処理回路２４２から入力された画像データを画像として表示する。ディスプレイ２４１は、バックライトを備える透過型液晶表示器（ＬＣＤ）の表示面に、鏡面（ミラー）として作用する金属蒸着や特殊フィルムが添付されている。通常は、ＬＣＤのバックライトが消灯して、表面２６が鏡として機能する。一方、バックライトが点灯するとＬＣＤに表示された画像が鏡面状の表面２６を透過して表面側から視認できるようになる。つまり、送電装置２０の電源が切れているとき、ディスプレイ２４１が通常の鏡として機能する。一方、送電装置２０の電源が入って画像が表示されているとき、画像が表示されている部分はディスプレイとして機能する。なお、ＬＣＤの画像は、鏡面状の表面２６の略全範囲に表示されても、鏡面状の表面２６の一部に表示されてもよい。表面２６のうち、ＬＣＤから外れて画像が表示されていない部分は常に鏡として機能する。
【００６４】
図３に示すように、ディスプレイ２４１は、画像処理回路２４２から入力された画像データを画像として表示させる。例えば、ディスプレイ２４１の全体には、ユーザ１００の被処理部位及び脱毛器１０を含む広域画像２４３が表示される。また、ディスプレイ２４１には、その右上の一部範囲、つまり広域画像２４３の右上の一部範囲に、被処理部位の狭域画像２４４が表示される。狭域画像２４４には、ユーザ１００の肌１０１と体毛１０２を拡大表示することができるため、ユーザは狭域画像２４４を参照することにより、脱毛器１０による処理を容易に行うことができるようになる。また、ユーザ１００は広域画像２４３を参照することにより、被処理部位の処理状態を周囲に適合する処理状態にすることができるようになる。
【００６５】
なお、ディスプレイ２４１は、画像処理回路２４２から入力された画像データに対応する画像を全表示域に表示させてもよいし、表示域の一部に表示させてもよい。
また、ディスプレイ２４１は、その表面２６に沿って送電コイル２１１が配置されている。送電コイル２１１は、ユーザの身体が映る部分に設けられるため、ユーザが利用する脱毛器１０が自ずと近い位置に配置される。このため、送電コイル２１１と脱毛器１０との位置関係が、非接触による電力伝送に適切な関係に維持、配置されるようになる。
【００６６】
なお、表示ユニット２４は、電源が投入されると、所定の画像を表示し、画像データ等が入力されるとその画像データ等を表示してもよい。また、送電装置２０は、電力の伝送中に表示ユニット２４に表示する画像に、電力を伝送していることを示す情報として「給電中」の文字、画像などを表示してもよい。
【００６７】
続いて、非接触給電システム用表示システムの動作について図６及び図７を参照して説明する。
まず、脱毛器１０が処理を開始するまでの動作について説明する。
【００６８】
図６に示すように、送電装置２０は、人感センサ２３によってディスプレイ２４１正面における人間の有無を所定の間隔で検出する（ステップＳ１０）。そして、利用者（ユーザ）が洗面台の前に立つと、送電装置２０は、人感センサ２３によってディスプレイ２４１正面に人間がいることを検出する（ステップＳ１１）。送電装置２０は、人感センサ２３による人間の検出によって、送電装置２０の電源が投入（ＯＮ）され（ステップＳ１２）、第２の無線通信ユニット３２を作動（ＯＮ）させる（ステップＳ１３）。送電装置２０は、第２の無線通信ユニット３２から周期的に「待機状態信号」を送信する（ステップＳ１４）。なお、送電装置２０は、「待機状態信号」を送信することに併せて、この「待機状態信号」への応答である「電力要求信号」が受信されるか否かを監視する。
【００６９】
一方、脱毛器（受電装置）１０は、ユーザの操作によって電源スイッチ１４が入れられる（ＯＮされる）（ステップＳ１５）と、第１の無線通信ユニット３１を作動させて「待機状態信号」が受信されることを監視する（ステップＳ１６）。そして、第１の無線通信ユニット３１は、「待機状態信号」を受信すると、受信した「待機状態信号」を認証回路１１３に送る。そして認証回路１１３は、「待機状態信号」に基づいて送電装置２０に対する認証を行う。認証回路１１３は、送電装置２０を認証すると、この「待機状態信号」に応答して、「電力要求信号」を第１の無線通信ユニット３１から送信する（ステップＳ１７）。なお、「電力要求信号」は、脱毛器１０を給電対象として承認させるための信号であり、認証情報を含む信号である。
【００７０】
送電装置２０は、脱毛器１０から送信された「電力要求信号」を受信すると（ステップＳ１８）、表示ユニット２４を作動（ＯＮ）させる（ステップＳ１９）。これにより、ユーザから見ると、ディスプレイ２４１は鏡からＬＣＤ（ディスプレイ）に変化する。そして、送電装置２０は、ディスプレイ２４１に表示システムや非接触給電などのスタート画面を表示する（ステップＳ２０）。
【００７１】
また、送電装置２０は、送電ユニット２１からの給電を開始する（ステップＳ２１）。つまり、送電装置２０は、「電力要求信号」に含まれる脱毛器１０の認証情報に基づいて、脱毛器１０を給電対象と認証すると、送電ユニット２１の送電コイル２１１から電力を伝送する。
【００７２】
このように、送電装置２０による給電開始と表示ユニット２４による画像表示と同期される。そして、ディスプレイ２４１が画像表示を開始することに基づいて、ユーザは送電装置２０が脱毛器１０に非接触給電を開始したことを知ることができる。
【００７３】
さらに、送電装置２０は、第２の撮像ユニット４０を作動させて広域画像２４３の撮像を開始する（ステップＳ２２）。そして、送電装置２０は、第２の撮像ユニット４０が撮像した画像データを表示ユニット２４に入力する。表示ユニット２４は、画像データが入力されると、その入力された画像データにデータ補完処理などの所定の処理を施し、表示レイアウトに従ってディスプレイ２４１に広域画像２４３として表示する（ステップＳ２３）。なお、送電装置２０は、ステップＳ２２からステップＳ２３までの処理を逐次繰り返すことで、第２の撮像ユニット４０により撮像された広域画像２４３をリアルタイムに表示する。
【００７４】
脱毛器１０は、送電装置２０から電力の伝送が開始されると、受電ユニット１１による電力の受電を開始する（ステップＳ２４）。すなわち、脱毛器１０は、送電コイル２１１の発生させた磁束を受電コイル１１１に受けて電力を発生させる。これにより、受電ユニット１１は脱毛器１０内の各ユニットに作動に必要な電力を供給する。つまり、電力が供給されることで、動作ユニット１２や第１の撮像ユニット１３が動作（ＯＮ）する（ステップＳ２５）。そして、第１の撮像ユニット１３は、撮像素子１３１を通じて、脱毛器１０の「かみそり」（作用部１２１）方向の狭域画像２４４を撮像する（ステップＳ２６）。狭域画像２４４を画像データとして入力した第１の無線通信ユニット３１は、その画像データに符号化などの所定の処理を施して通信用信号を生成し（ステップＳ２７）、生成した通信用信号を送信（伝送）する（ステップＳ２８）。なお、脱毛器１０は、ステップＳ２６からステップＳ２８までの処理を逐次繰り返すことで、リアルタイムに撮像された狭域画像２４４の画像データを含む通信用信号をリアルタイムに送信する。
【００７５】
送電装置２０は、第２の無線通信ユニット３２が通信用信号を受信すると（ステップＳ２９）、受信した通信用信号に復号化などの所定の処理を施して当該通信用信号に含まれている画像データを取得する（ステップＳ３０）。そして第２の無線通信ユニット３２は、取得した画像データを表示ユニット２４へ出力する。表示ユニット２４は、画像データが入力されると、その入力された画像データにデータ補完処理などの所定の処理を施し、表示レイアウトに従ってディスプレイ２４１に狭域画像２４４として表示する（ステップＳ３１）。なお、送電装置２０は、ステップＳ２９からステップＳ３１までの処理を逐次繰り返すことで、脱毛器１０がリアルタイムに送信する画像データに基づく狭域画像２４４をリアルタイムに表示する。
【００７６】
送電装置２０は、給電対象として認証した脱毛器１０から送られてくる画像データをリアルタイムに表示するようになるため、リアルタイム表示に給電に対する認証を利用することもできる。
【００７７】
脱毛器１０では、撮像した狭域画像２４４のリアルタイムな送信に並行して、ユーザの操作によって、動作ユニット１２が駆動される（ステップＳ３２）。つまり、動作ユニット１２が作用部１２１を駆動させることで、脱毛器１０の作用する部位に対しての作用部１２１による処理が開始される。そして、ユーザは、広域画像２４３と狭域画像２４４とを確認しながら脱毛器１０を利用して作用部１２１による処理を行う。
【００７８】
次に、脱毛器１０による処理が終了する動作について説明する。
図７に示すように、脱毛器１０の電源がユーザの操作によって遮断（ＯＦＦ）される（ステップＳ３３）。脱毛器１０は電源が遮断されると、動作ユニット１２と第１の撮像ユニット１３との電源を遮断する（ＯＦＦ）（ステップＳ３４）。また、脱毛器１０は電源が遮断されると、第１の無線通信ユニット３１から給電停止要求信号を送信して（ステップＳ３５）、その信号の送信の後、第１の無線通信ユニット３１の電源を遮断する（ＯＦＦ）（ステップＳ３６）。これにより、脱毛器１０の全ての動作が停止する。
【００７９】
一方、送電装置２０は、脱毛器１０が送信した給電停止要求信号を第２の無線通信ユニット３２によって受信すると（ステップＳ３７）、送電ユニット２１からの給電を停止する（ステップＳ３８）。送電ユニット２１からの給電が停止すると、送電装置２０は、表示ユニット２４の電源を遮断することでディスプレイ２４１の表示を消す（ステップＳ３９）。なお、送電装置２０は、ディスプレイ２４１の表示を消してから表示ユニット２４の電源を遮断してもよい。これにより、送電装置２０の給電終了と表示ユニット２４の表示終了とが同期し、ユーザは、脱毛器１０への給電が停止されたことをディスプレイ２４１の表示が消えたことによって確認することができる。つまり、ユーザから見ると、ディスプレイ２４１はＬＣＤ（ディスプレイ）から鏡に変化する。その後、送電装置２０は、第２の無線通信ユニット３２の電源を遮断（ＯＦＦ）する（ステップＳ４０）。最後に、送電装置２０は、電源回路２２からの電力供給を停止する（ステップＳ４１）。これにより、送電装置２０は、人感センサ２３の動作を除く、全ての動作が停止する。
【００８０】
その後、送電装置２０は、人感センサ２３によってディスプレイ２４１正面における人間の有無を所定の間隔で検出する（ステップＳ１０）ことを繰り返す。
以上説明したように、本実施形態の表示システム及び非接触給電システム用表示システムによれば、以下に列記するような効果が得られるようになる。
【００８１】
（１）ディスプレイ２４１に脱毛器１０が作用する部位（被処理部位）の画像（狭域画像２４４）と、被処理部位とその周辺を脱毛器１０を含み撮像した画像（広域画像２４３）とが併せて表示される。これにより、ユーザは広域画像２４３と狭域画像２４４とを参照しつつ、脱毛器１０を利用することができるようになるため、脱毛器１０の利便性の向上が図られるようになる。
【００８２】
例えば、狭域画像２４４として被処理部位を拡大した拡大画像を表示すれば、脱毛器１０が作用する部位に対するユーザの視認性が高められる。併せて、広域画像２４３が表示されることで、ユーザは全体を俯瞰しつつ、被処理部位周辺の処理状態に被処理部位の処理状態を適合させるように脱毛器１０を作用させることができるようになる。
【００８３】
（２）送電装置２０は、脱毛器１０からリアルタイムに送られてくる撮像画像等の画像データがリアルタイムで表示ユニット２４によって表示される。また、送電装置２０は、脱毛器１０に必要な電力を送電装置２０から非接触で給電することができる。すなわち、送電装置２０は、脱毛器１０への非接触給電と、脱毛器１０からの画像のリアルタイムでの表示とを併せ行うことができる。これにより、脱毛器１０としての利便性の更なる向上を図ることのできる非接触給電システム用表示システムを提供することができる。
【００８４】
（３）送電装置２０は、電力を伝送する対象となる脱毛器１０を認証し、認証した脱毛器１０に対して電力を伝送することができる。また、送電装置２０は、電力を伝送することを認証した脱毛器１０から受信したリアルタイムの画像データを投影する。つまり、画像データのリアルタイム表示に、脱毛器１０に対する認証を利用することができる。つまり、送電装置２０は、非接触給電システムの認証と、画像データの表示とを組み合わせることで、脱毛器１０からの画像情報の表示を認証に基づいて規制することができるようになる。
【００８５】
（４）電力伝送のためにある程度の大きさが必要となる送電ユニット２１と、画像を表示させるためにある程度の大きさが必要な表示ユニット２４とを組み合わせることで、それぞれの大きさを有効活用することできる。これにより、送電ユニット２１と表示ユニット２４とを有する送電装置２０の大型化を抑え、非接触給電システム用表示システムの大型化や設置に係る煩雑さが抑えられる。
【００８６】
（５）表示ユニット２４は、電力を伝送していることを示す情報を併せて投影するため、脱毛器１０を使用している最中であれ、ユーザは給電に関する状況を容易に把握することができるようになる。
【００８７】
（６）通常、ディスプレイ２４１を鏡として利用することができる。そして、脱毛器１０が画像データを送信する場合、ディスプレイ２４１は鏡面を透過するように画像を表示させるため、鏡面に画像が表示され脱毛器１０を使用する上での利便性が高まる。また、鏡を見ながら使用される脱毛器１０に、非接触で電力が伝送できるため、脱毛器１０を利用する上での制約も少なくなる。
【００８８】
（７）ディスプレイ２４１と脱毛器１０が作用する部位まで間の距離は、当該脱毛器１０からその脱毛器１０が作用する部位までの間の距離よりも離れている。このため、第２の撮像ユニット４０が、脱毛器１０が作用する部位とその周辺とを該脱毛器１０を含めて一つの広域画像２４３として撮像することが容易である。また、ディスプレイ２４１が鏡と同様の位置に配置されれば、第２の撮像ユニット４０により撮像される範囲も自ずと適切な範囲になる。
【００８９】
（８）ディスプレイ２４１には、脱毛器１０への給電に同期して画像が表示されるため、ユーザは脱毛器１０への給電に関する状況を、画像が表示されることに基づいて容易に把握できる。例えば、脱毛器１０がバッテリを備えている場合、非接触給電システムによる伝送電力によって作動しているのか、バッテリによって作動しているのか、ユーザが判別することができる。
【００９０】
（９）脱毛器１０が利用される機会の多い浴室２に非接触で電力を伝送することのできる送電装置２０を設置することができる。つまり、浴室２において、脱毛器１０の撮像した画像の表示が行える。これによって、ユーザによる脱毛器１０の利用に関する利便性が向上する。
【００９１】
（１０）非接触給電システムを浴室２に常設できるため、システムとしての配置場所の確保が容易になる。脱毛器１０を使用する時にディスプレイ２４１などの表示装置を設置するわずらわしさもない。また、浴室２としても外見が従来通りに維持されるため、従来通りの見た目が維持できるようになる。
【００９２】
（１１）非接触給電は、防水性能を高く維持することができるため、湿度が高く、防水性が要求される浴室２での脱毛器１０の耐湿性及び耐水性を向上させることができる。
（第２の実施形態）
次に、本発明にかかる非接触給電システム用表示システムの第２の実施形態について、図８〜１０を参照して説明する。
【００９３】
本実施形態では、脱毛器１０に模様とセンサが設けられている構成、及び送電装置２０で模様を認識し、センサの検出値を処理する構成が、第１の実施形態の脱毛器１０の構成、及び送電装置２０の構成と相違する。しかし、本実施形態と第１の実施形態とは、上記以外の構成は同様であることから、以下では、第１の実施形態と相違する構成について説明し、説明の便宜上、同様の構成については同一の符合を付し、その詳細な説明を割愛する。
【００９４】
図８（ａ）に示すように、脱毛器１０は、身体に作用する「かみそり」（作用部１２１）に近い位置に、画像認識用目印７０Ａが設けられている。画像認識用目印７０Ａは、画像認識によって形状・色の特徴量を得られる目印である。画像認識用目印７０Ａは、例えば、作用部１２１長手方向に延びて、作用部１２１に沿うように描かれた３本の線模様からなる。各線模様は、その長さが作用部１２１と略同じ長さを有し、作用部１２１の方向を内側にして湾曲している。また、各線模様は、中央が太く両端が細くなる形状となっており、中央部が隣接する他の線模様と接している。さらに、３つの線模様は、それぞれの色が相違している。画像認識用目印７０Ａは、作用部１２１との相対位置関係が定まっていることから、画像認識などでその位置が認識されれば自ずと作用部１２１の位置を正確に算出できる。
【００９５】
なお、画像認識によって認識することができるのであれば、画像認識用の目印は、どのような形状・色からなる模様であってもよい。例えば、図８（ｂ）に示すように、画像認識用目印７０Ｂは、複数の針状の突起を有する円形模様からなり、その円形模様が作用部１２１の長手方向に所定の間隔で３つ横並びに配置されていてもよい。なお、この横並びの３つの円形模様は、両端の２つが中央の１つよりも作用部１２１に近い位置に配置されている。
【００９６】
図９に示すように、脱毛器１０は、検出器としてのセンサ７０を備えている。センサ７０は、加速度センサであって、加速度とその加速度の方向を検出し、その検出データを出力する。センサ７０は、脱毛器１０において作用部１２１に近い位置に配置されている、つまり機械的に接続されているため作用部１２１の加速度とその加速度の方向を検出できる。また、センサ７０は、第１の無線通信ユニット３１の通信回路３１２に接続されており、検出データを通信回路３１２へ出力する。つまり、脱毛器１０は、作用部１２１に生じる加速度等がセンサ７０により検出されて通信回路３１２へ出力される。
【００９７】
通信回路３１２は、センサ７０から加速度等の検出データが入力されると、その検出データを通信用信号に変換して送電装置２０へ送信する。
図１０に示すように、送電装置２０は、表示ユニット２４に第２の撮像ユニット４０から脱毛器１０を含む広域画像２４３が入力される。広域画像２４３には、ユーザ１００と、画像認識用目印７０Ａを有する脱毛器１０とが撮像されている。送電装置２０内のデータベースには、画像認識用目印７０Ａに対応する形状や色の特徴量が格納されている。データベースは第２の制御回路２５の不揮発性メモリに設けることができる。
【００９８】
表示ユニット２４は、画像処理回路２４２にて、広域画像２４３について、脱毛器１０の位置を特定するための画像認識を行う。画像認識では、広域画像２４３を走査して、データベースに格納されている、画像認識用目印７０Ａに対応する特徴量を持つ画像領域を検出する。広域画像２４３に含まれる、同じ特徴量を持つ画像領域は、すなわち脱毛器１０の作用部１２１の位置である。画像処理回路２４２は、広域画像２４３において同じ特徴量を持つ画像領域に、脱毛器１０の作用部１２１を示すマークを表示する。これにより、ユーザは、身体に対する脱毛器１０の作用部１２１の位置をディスプレイ２４１で容易に確認することができるようになる。
【００９９】
また例えば、画像処理回路２４２は、検出された脱毛器１０の位置を中心にするように、広域画像２４３をディスプレイ２４１に表示させることができる。これにより、ユーザは、脱毛器１０を中心としての広域画像２４３を参照しつつ、脱毛器１０を使用することができるようになる。これにより、脱毛器１０の利便性が向上するようになる。
【０１００】
さらに例えば、画像処理回路２４２は、脱毛器１０の移動を追尾することで、ユーザによる剃毛処理が終了した範囲を推定し、広域画像２４３において推定した範囲を識別可能に色分け等する。これにより、ユーザは処理が終了した部分を容易に認識することができ、処理の利便性が向上する。
【０１０１】
また例えば、画像処理回路２４２は、まず、広域画像２４３において剃毛処理が必要な範囲を推定する。そして画像処理回路２４２は、この推定した剃毛処理が必要な範囲から剃毛処理が終了した範囲を除いた範囲を得て、この除いた範囲を広域画像２４３において識別可能に色分け等してもよい。これにより、ユーザは処理が終了した部分を容易に認識することができ、処理の利便性が向上する。
【０１０２】
送電装置２０は、脱毛器１０の使用状態を判定する情報判断部７１を備えている。情報判断部７１は、第２の無線通信ユニット３２の通信回路３２２から、センサ７０が検出した加速度等の検出データが入力される。送電装置２０内のデータベースには、脱毛器１０の姿勢や速度の最適値が保持されている。データベースには、姿勢や速度の最適値として、それぞれ一つの最適地が保持されていてもよいし、脚、腋、腕、等などの身体の部位や、特に顔においては、頬、顎、顎下、鼻下などの部位のそれぞれの部位に対する最適値がそれぞれ保持されていてもよい。データベースは第２の制御回路２５の不揮発性メモリに設けることができる。
【０１０３】
情報判断部７１は、入力された加速度等の検出データに基づいて、脱毛器１０の作用状態としての姿勢や移動速度などを算出する。情報判断部７１は、データベースに保持されている姿勢や速度の最適値と、センサ７０に基づいて算出された脱毛器１０の姿勢や速度とを比較して、姿勢や速度の差を算出する。算出された姿勢や速度の差が所定以上である場合、情報判断部７１は、当該算出された姿勢や速度の差を小さくさせる脱毛器１０の操作方法を判定し、当該判定した操作方法を推奨動作としてユーザに通知する。また、情報判断部７１は、脱毛器１０の作用状態に応じて、データベースに保持されている姿勢や速度の最適値を推奨動作としてユーザに通知してもよい。
【０１０４】
例えば、情報判断部７１は、推奨動作のユーザへの通知をディスプレイ２４１への表示によって行う。つまり、情報判断部７１は、推奨動作に対応する画像データを生成して表示ユニット２４へ出力する。そして表示ユニット２４は、入力された画像データを、広域画像２４３や狭域画像２４４に併せ表示する。なお、情報判断部７１は、推奨動作に関する情報を表示ユニット２４へ出力し、表示ユニット２４が判定された操作方法に対応する画像データを生成して表示してもよい。また、推奨動作に対応する画像データは、不揮発性メモリなどから選択できるようになっていてもよい。これにより、情報判断部７１は、表示ユニット２４の表示を通じて、ユーザに最適な使用状態なるような操作方法（推奨動作）を通知することができる。
【０１０５】
例えば、センサ７０の検出データから算出された速度が速度の最適値よりも速い場合、情報判断部７１は、脱毛器１０の速度を低下させるべきであると判定する。そして情報判断部７１は、ユーザに移動速度を低下させる操作方法を推奨動作としてアドバイスする画像データを生成し、表示ユニット２４に表示させる。具体的には、情報判断部７１はディスプレイ２４１に「動かす速さをゆっくりにしてください」という文字等を表示させるようにする。
【０１０６】
情報判断部７１は、算出した脱毛器１０の姿勢や移動速度などをそのまま、表示ユニット２４に表示させるなどしてユーザに通知してもよい。ユーザは、当該通知を参照することで脱毛器１０を適切に使用することもできる。
【０１０７】
さらに、表示ユニット２４は、画像処理回路２４２による画像認識にて広域画像２４３に含まれるユーザ１００の身体について、その部位を認識してもよい。例えば、表示ユニット２４は、広域画像２４３からユーザ１００の脚、腕、腋などの部位を検出したり、ユーザ１００の頭部から頬、顎、顎下、鼻下などの部位を検出してもよい。このユーザ１００の身体部位の認識結果に、脱毛器１０の位置を重ねることで、脱毛器１０が適用されている身体の部位を特定することができる。表示ユニット２４は、こうした特定結果に対応する脱毛器１０の各種最適値をデータベースから取得してディスプレイ２４１を表示することもできる。なお、こうした特定結果を情報判断部７１に通知することで、情報判断部７１では、身体の部位に対応する脱毛器１０の推奨動作を生成してユーザに通知することができる。
【０１０８】
以上説明したように、本実施形態の非接触給電システム用表示システムによれば、先の第１の実施形態で記載した効果（１）〜（１１）に加え、以下に列記するような効果が得られるようになる。
【０１０９】
（１２）センサ７０により脱毛器１０の状態を検出することで、脱毛器１０を作用させるとき、該脱毛器１０が作用する部位に対する脱毛器１０の状態を容易に把握することができるようになる。例えば、センサ７０が加速度を検出すれば、ユーザに脱毛器１０の速度等を通知することができる。また例えば、センサ７０が角度を検出すれば、ユーザに脱毛器１０の角度を通知することができる。さらに例えば、センサ７０が作用する部位方向への押圧力を検出すれば、ユーザに脱毛器１０の作用する部位への押圧力を通知することができるようになる。これにより、脱毛器１０の利用にかかる利便性が向上する。
【０１１０】
（１３）脱毛器１０を作用させるとき、該脱毛器１０が作用する部位に対する脱毛器１０の状態を容易に把握することができるようになる。センサ７０が加速度を検出することで、ユーザに脱毛器１０の速度等を通知することができる。
【０１１１】
（１４）ユーザが推奨動作の通知を参考にして、脱毛器１０を被処理部位に対して適切に作用させることができるようになる。センサ７０が加速度を検出することで、ユーザに小型電気機器の推奨される速度となる推奨動作を通知することができる。
【０１１２】
（１５）脱毛器１０とそれが作用する部位との関係から、当該部位に対する適切な動作が通知されるため、当該部位に対してユーザは脱毛器１０をより適切に作用させることができるようになる。
【０１１３】
（１６）ディスプレイ２４１には広域画像２４３や狭域画像２４４とともに推奨動作が表示されるため、ユーザは広域画像２４３や狭域画像２４４とともに推奨動作を参照することができる。これにより、小型電気機器の利便性が向上する。
【０１１４】
（その他の実施形態）
なお上記各実施形態は、以下の態様で実施することもできる。
・脱毛器１０が所定時間以上作動しているとき、警告を画像で表示したり、アラーム音などによって通知したりするようにしてもよい。これにより、小型電気機器の利便性の向上が図られるようになる。
【０１１５】
・上記各実施形態では、受電コイル１１１が平面コイルである場合について例示した。しかしこれに限らず、受電コイルの形状は、受電できるのであれば制限はなく、例えば、複数の円形部分が互いに積層された筒状の構造であってもよい。これにより、小型電気機器の形状に適合する受電コイルを採用することができる。つまり、小型電気機器の設計自由度の向上が図られるようになる。
【０１１６】
・上記第２の実施形態では、センサ７０が加速度センサである場合について例示した。しかしこれに限らず、センサは、近接センサや圧力センサや角度センサなどその他の種類のセンサであってもよい。またセンサは複数であってもよいし、複数の種類があってもよい。
【０１１７】
いずれのセンサであってもユーザに検出結果を通知することができる。
例えば、近接センサであれば、ユーザに小型電気機器が肌に接しているか否かを通知することができる。また例えば、圧力センサであれば、ユーザに小型電気機器の作用する部位への押圧力を通知することができるようになる。さらに例えば、角度センサであれば、ユーザに小型電気機器の角度を通知することができる。これにより、小型電気機器の利用にかかる利便性が向上する。
【０１１８】
また、ユーザに推奨動作を通知することもできる。
例えば、センサが近接センサである場合、作用部が肌に触れているか否かを検出することができる。これにより、脱毛器が処理中であるか否かを判断することができるようになる。そして、情報判断部は、作用部が肌に触れていないと判定した場合、ユーザに作用部が触れていないことをアドバイスすることができる。具体的には、情報判断部はディスプレイに「作用部が肌に触れていません」という文字を表示させることができる。
【０１１９】
また例えば、センサが圧力センサである場合、作用部が肌に触れている圧力を検出することができる。これにより、脱毛器の作用部が肌に適切な圧力で接しているか否かを判断することができるようになる。そして、情報判断部は、作用部が肌に対して強く当たりすぎであると判定した場合、ユーザに作用部の当たりを弱くするようにアドバイスすることができる。具体的には、情報判断部はディスプレイに「肌にやさしく当ててください」という文字を表示させることができる。
【０１２０】
さらに例えば、センサが角度センサである場合、作用部の肌に対する角度を検出することができる。これにより、検出データから算出された角度が肌に対して傾きすぎているか否かを判断することができるようになる。そして、情報判断部は、作用部を肌に対して立てるべきであると判定した場合、ユーザに作用部を立てるようにアドバイスすることができる。具体的には、情報判断部はディスプレイに「角度をもっとたててください」という文字を表示させることができる。
【０１２１】
・上記各実施形態では、撮像素子１３１がＣＣＤのイメージセンサである場合について例示したがこれに限らず、撮像素子は、外部が撮像できるのであればセンサの種類に制限はなく、例えば、ＣＭＯＳのイメージセンサであってもよい。これにより、小型電気機器の設計自由度の向上が図られる。
【０１２２】
・上記各実施形態では、脱毛器１０の胴体に撮像素子１３１が設けられている場合について例示したが、この撮像素子は、向きが変えられ、撮像方向が調整できるようになっていてもよい。また、焦点調整などのための光学系（レンズ）が設けられていてもよい。これにより小型電気機器の利便性の向上が図られる。
【０１２３】
・上記各実施形態では、脱毛器１０に第１の撮像ユニット１３が設けられている場合について例示したが、この撮像ユニットには、手ぶれ防止機能や拡大縮小機能などが設けられていてもよい。これにより小型電気機器の利便性の向上が図られる。
【０１２４】
・上記各実施形態では、電力伝送回路２１２がフルブリッジ回路を備える場合について例示したが、これに限らず、電力伝送回路はハーフブリッジ回路を備えていてもよい。ハーフブリッジ回路は、部品点数が少ないためコストを抑えることができる。これにより、送電装置の設計自由度の向上が図られるようになる。
【０１２５】
・上記各実施形態では、送電装置２０が浴室２に設けられている場合について例示した。しかしこれに限らず、ユーザが小型電気機器を用いる場所であれば、送電装置は洗面台や、ドレッサーなどに設けられてもよい。これによって、ユーザによる脱毛器の利用に関する利便性が向上する。
【０１２６】
また、非接触給電を用いる場合、防水性能を高く維持することができるため、湿度の高い浴室や洗面台での小型電気機器の利便性を高くすることができる。
・上記各実施形態では、送電コイル２１１がディスプレイ２４１の裏面に設けられる場合について例示した。しかしこれに限らず、鏡への映りを妨害しないのであれば送電コイルは鏡の表面に沿って設けてもよい。また、送電コイルが透明であれば鏡の表面に自由な配置で設けてもよい。これにより、送電コイルの配置場所の確保が容易になる。
【０１２７】
・上記各実施形態では、送電コイル２１１がディスプレイ２４１に設けられている場合について例示した。しかしこれに限らず、送電コイルは、洗面台の洗面ボール上や鏡の外周に設置されていてもよい。また、壁面等に中継コイルを設置して電力伝送を行ってもよい。これにより、送電コイルの配置に関する設計自由度が向上するようになる。
【０１２８】
・上記各実施形態では、リアルタイムの画像を表示させるディスプレイ２４１がミラーＬＣＤである場合について例示した。しかしこれにかがらず、リアルタイムの画像を表示させるディスプレイは、鏡の機能を持たず、鏡とは別に設けられたディスプレイであってもよい。これにより、ディスプレイの配置の自由度が向上するようになる。
【０１２９】
・上記各実施形態では、ディスプレイ２４１がミラーＬＣＤである場合について例示した。しかしこれに限らず、画像を表示する装置は、画像を表示しないときは鏡として使用でき、画像を表示するとき表示器として使用できるものであればミラーＬＣＤ以外のものであってもよい。これにより、送信装置の設計自由度の向上が図られるようになる。
【０１３０】
・上記第各実施形態では、画像の表示と給電が同期する場合について例示した。しかしこれに限らず、「給電中」であることを通知するようにしてもよい。このとき、「給電中」である旨を、画像や、音や、音声等で通知することができる。また、画像や音などを組み合わせてもよい。音や音声、画像による通知は、給電開始時や、給電終了時にのみ通知するようにしてもよい。これにより、小型電気機器の利便性の向上が図られる。
【０１３１】
・上記各実施形態では、給電対象が認証情報に基づいて認証される場合について例示したがこれに限らず、小型電気機器を識別できる情報であれば、識別情報などその他の情報によって認証されてもよい。また、認証に複数の情報を用いてもよい。
【０１３２】
・上記各実施形態では、認証された給電対象に給電される場合について例示したが、認証せずに給電してもよい。つまり、受電ユニットや送電ユニットに認証回路が設けられなくてもよい。これにより、この表示システムの適用範囲の拡大が図られる。
【０１３３】
・上記各実施形態では、非接触給電システムは電磁誘導を利用する場合について例示した。例えば、非接触で給電できるのであれば、非接触給電システムは、電子誘導方式、電波方式や電磁界共鳴方式やその他の方式などを利用することができる。非接触給電の方式は、送電部と受電部との間の距離や、電力伝送効率などを考慮して適切な方式が選定されればよい。これにより、非接触給電システム用表示システムの設計自由度の向上が図られるようになる。
【０１３４】
・上記各実施形態では、小型電気機器が脱毛器１０である場合について例示した。しかしこれに限らず、小型電気機器は、ユーザが手に持って使用する大きさの電気機器であればよく、例えば、髭剃りや、電気かみそりや、うぶ毛そりや、レディシェーバーや、電動歯ブラシなどのいわゆる理美容家電といわれている小型電気機器であってもよい。つまり、この表示システムは、どのような小型電気機器が撮像するリアルタイムな画像であってもリアルタイムに表示することができる。
【０１３５】
また、上述の脱毛器等の小型電気機器は、使用される部位として、鏡を用いたとしても視認性の確保が難しい部位、例えば、背中や足裏などに適用されると、ユーザに高い利便性を提供することができる。これにより、小型電気機器の利便性の向上が図られるようになる。
【０１３６】
・上記各実施形態では、送電装置２０は脱毛器１０に給電する場合について例示した。しかしこれに限らず、送電装置に対応する受電装置を備え、送電装置に認証される認証情報を保持している小型電気機器であれば、どのような小型電気機器に対しても非接触で電力を伝送してもよい。これにより、小型電気機器の利便性を高めることができるようになる。
【０１３７】
・上記各実施形態では、脱毛器１０は蓄電池を有さない場合について例示したが、これに限らず、脱毛器には蓄電池が設けられていてもよい。そしてこの場合、受電した電力にて蓄電池を充電させてもよい。このとき充電状態の管理に、無線通信を使うこともできる。これにより、小型電気機器の動作の安定性が向上するようになる。
【０１３８】
・上記各実施形態では、脱毛器１０には非接触で電力が供給される場合について例示した。しかしこれに限らず、脱毛器には、有線で電力が供給されてもよい。つまり、脱毛器に受電ユニットが設けられていなくてよい。この場合、送電装置に送電ユニットが設けられていなくてもよく、送電装置の主機能が表示装置による表示であってもよい。この場合であれ、広域画像と狭域画像とがディスプレイに表示されることで、小型電気機器の利便性が向上するようになる。
【符号の説明】
【０１３９】
２…浴室、１０…脱毛器（小型電気機器）、１１…受電ユニット、１３…第１の撮像ユニット、２０…送電装置、２１…送電ユニット、２４…表示ユニット、２６…表面、３１…第１の無線通信ユニット、３２…第２の無線通信ユニット、４０…第２の撮像ユニット、７０…センサ、７０Ａ，７０Ｂ…画像認識用目印、７１…情報判断部、２１４…認証回路、２４１…ディスプレイ。
【図１】
2014050128.tif 000003
【図２】
2014050128.tif 000004
【図３】
2014050128.tif 000005
【図４】
2014050128.tif 000006
【図５】
2014050128.tif 000007
【図６】
2014050128.tif 000008
【図７】
2014050128.tif 000009
【図８】
2014050128.tif 000010
【図９】
2014050128.tif 000011
【図１０】
2014050128.tif 000012